(57)【要約】      （修正有）【課題】首の痛みを解消できる複合枕を提供する。【解決手段】一つ目のタイプの枕は、合成ゴム製のドーナツの形状をした空気枕１を考案した。前記空気枕は、逆止弁付き空気取り入れ口３を有し、更に空気枕の左右には、合成ゴム製の耳があり、左右の耳に固定具２を取り付ける。二つ目のタイプの枕は、ソバカス枕の一端に布製の長方形のヒダ５を有し、そのヒダに固定具２を付ける。また、前記ドーナツ型空気枕の固定具２に合わせて、ソバカス枕の表面に固定具を２か所付ける。前記ソバカス枕の上に前記ドーナツ型空気枕を重ね、固定具により固定した２段枕である。真ん中にドーナツ型空気枕を置き、その両側に２段枕を並べ、それぞれの固定具により固定して、３つの枕を並べて構成されることで、首の痛みを解消する複合枕を造ることができる。【選択図】図１
2015073819.tif 000002
【特許請求の範囲】
【請求項１】
一つ目のタイプの枕は、ドーナツの形状をした空気枕であり、空気枕には逆止弁付き空気取り入れ口（３）を有し、更に空気枕の左右には耳を有し、前記耳には固定具を付けるドーナツ型空気枕であり、二つ目のタイプの枕は、ソバカス枕の一端にヒダ（５）を有し、前記ヒダ（５）とソバカス枕の表面に固定具を付け、ソバカス枕の上に前記ドーナツ型空気枕を乗せ、ドーナツ型空気枕の耳に付けた固定具と前記ソバカス枕の表面の固定具を合わせて固定した２段枕であり、前記一つ目のタイプのドーナツ型空気枕を中心に前記二つ目の２段枕を左右に並べて前記固定具により固定する３つの枕より構成されることを特徴とする首の痛みを解消できる複合枕。
【請求項２】
請求項１にある枕と枕を固定具により固定する方法として、ボタンもしくはマジックテープを使うこともしくは糸により縫合することの何れか一つの方法により枕と枕を固定することを特徴とする請求項１の首の痛みを解消できる複合枕。
【発明の詳細な説明】
【技術分野】
【０００１】
本発明は、首の痛みを解消するための枕を提供する。
【背景技術】
【０００２】
左右への寝返りやうつ伏せを簡単にできる仰臥、横臥兼用の枕は使われていた。（例え  ば、特許文献１参照）ただし、枕の上に頭を乗せた時に頭が安定しないため、首の痛い  時には、使えないものであった。
【先行技術文献】
【特許文献】
【０００３】
【特許文献１】実用新案登録  第３０７２５２９号
【発明の概要】
【発明が解決しようとする課題】
【０００４】
ソバカスやプラスチックやストローを短く切ったものを袋の中に詰め込んでいる枕が多  くみられ、この場合、枕の中の偏りにより、柔らかい部分と固い部分ができ、頭を乗せ  ると頭と枕の密着性が悪い、仰臥、横臥に成る時に容易に高さ調整ができない、ごつご  つして頭が不安定になる、これらの理由で首が痛い時には使えない。そこで、首の痛い  人向けの枕が望まれている。また、首の痛みがある時に、痛みを感じないで寝返りやう  つ伏せをすることができる枕が望まれている。
【課題を解決するための手段】
【０００５】
一つ目のタイプの枕は、図２のように合成ゴム製のドーナツの形状をした空気枕（１）  を考案した。前記空気枕は、逆止弁付き空気取り入れ口（３）を有し、更に空気枕の左  右には、合成ゴム製の耳があり、左右の耳に固定具（２）を取り付ける。
【０００６】
二つ目のタイプの枕は、図３のように、ソバカスを布製の袋に入れて枕状としたソバカ  ス枕の一端に布製の長方形のヒダ（５）を有し、そのヒダに固定具（２）を付ける。ま  た、前記ドーナツ型空気枕の固定具（２）に合わせて、ソバカス枕の表面に固定具を２  か所付ける。前記ヒダ（５）と固定具（２）を付けたソバカス枕の上に前記ドーナツ型  空気枕を重ね、固定具により固定した２段枕である。
【０００７】
請求項１の本発明は、図１のように前記一つ目のタイプの枕と二つ目のタイプの枕を組  み合わせ、真ん中にドーナツ型空気枕を置き、その両側に２段枕を並べ、ソバカス枕の  一端のヒダに付けた固定具とドーナツ型空気枕の両端にある固定具を合わせることで固  定して、３つの枕を並べて構成されることで、首の痛みを解消する複合枕を造ることが  できる。
【０００８】
請求項２の本発明は、請求項１にある枕と枕を固定具により固定する方法として、ボタ  ンもしくは登録商標のマジックテープを使うこともしくは糸により縫合することの何れか一つの方法によりソバカス枕の上にドーナツ型枕を乗せて固定する及び、ドーナツ型枕と２段枕を固定する、ことで首の痛みを解消することのできる複合枕が得られる。
【発明の効果】
【０００９】
図６のように、ドーナツ型空気枕（１）の空洞部に後頭部がぴったりと入ることで、頭  の位置が安定し、首を固定することができるため首の痛みが解消できると共に、気持ち  まで落ち着くことができる。
【００１０】
また、図7のように、ドーナツ型空気枕（１）と後頭部の接触する面積が、通常の枕に  比べて少ないため、夏の汗かきやムレが少なく、快適に寝ることができる。
【００１１】
首の痛い人が横を向く時は、右でも左でもそのまま横の２段枕に移ることで、首の痛み  を感じないで、簡単に寝返りをすることができる。
【００１２】
ドーナツ型空気枕（１）に横向きに寝た時には空洞部に耳たぶが入り、テレビの音声が  聞きやすいと共にイヤホンを使ってテレビを見る時は、イヤホンが邪魔にならずに使う  ことができる。
【００１３】
うつ伏せで寝る場合には、図９のように、両サイドの２段枕を手前に寄せて両わきで抱え込み、ドーナツ型空気枕（1）の、X印（１３）の部分にアゴを乗せ、更にアゴの下側に両手の甲を重ねて入れ、空気マクラを挟んでアゴと両手甲が重なるようにする。手の甲はアゴを乗せた時にアゴの高さを調節する役目をし、空気枕がクッションとなり両脇に抱え込んだ２段枕の方がドーナツ型空気枕より高いため両脇、肩に体重が掛り、首にかかる力が軽減されるので、首の痛いときでも楽にうつ伏せの姿勢をとることができる。
【図面の簡単な説明】
【００１４】
【図１】本発明の複合枕の図である。
【図２】ドーナツ型空気枕の図である。
【図３】ソバカス枕にドーナツ型枕を重ねた２段枕を示す斜視図である。
【図４】ソバカスを入れた袋にチヤックや固定具を付けたソバカス枕の断面図である。
【図５】本発明の複合枕の断面図である。
【図６】本発明の複合枕に寝た時の図である。
【図７】上向きで寝ているときの後頭部とドーナツ型空気枕の位置を示す図である。
【図８】裏返した複合枕の図である。
【図９】うつ伏せになる際に２段枕を折り曲げた時の図である。
【図１０】枕カバーを付けた図である。
【図１１】ドーナツ型空気枕の断面図である。
【図１２】ドーナツ型空気枕に空気を入れるポンプである。
【図１３】２段枕の断面図である。
【発明を実施するための形態】
【００１５】
以下本発明の実施をするための形態について説明する。
本発明は、２つのタイプの枕を組み合わせることで、首の痛みを解消することができる。１つ目のタイプは、図２のように合成ゴム製のドーナツ型空気枕を考案した。ドーナツ型空気枕は、逆止弁付き空気取り入れ口（３）を有し、枕の高さ、弾力性を空気量により調整して後頭部の形に合わせる。また、ドーナツ型空気枕の左右には、合成ゴム製の耳が有り、固定具（２）を取り付ける。断面図を、図１１に示す。

【００１６】
２つ目のタイプの枕は、図３のように、ソバカスを布製の袋に入れて枕状としたソバカス枕の一端に布製の長方形のヒダ（５）を有し、そのヒダに固定具（２）を付ける。また、前記ドーナツ型空気枕の固定具（２）に合わせて、ソバカス枕の表面に固定具を２か所付ける。前記ヒダ（５）と固定具（２）を付けたソバカス枕の上に前記ドーナツ型空気枕を重ね、固定具により固定した２段枕である。また、２段枕の高さや弾力性は、ドーナツ型空気枕の空気量や図４にあるチャック（７）よりソバカス量を変更することで調整することができる。
断面図を図１３に示す。
【００１７】
請求項１の本発明は、図１のように前記１つ目のタイプと二つ目のタイプを組み合わせ、真ん中にドーナツ型空気枕を置き、その両側に２段枕を並べ、ソバカス枕の一端のヒダに付けた固定具とドーナツ型空気枕の両端にある固定具を合わせることで固定して、３つの枕を並べて構成されることで、首の痛みを解消する複合枕を造ることができる。本発明の枕３つを並べた複合枕の断面図を図５に示す。
【００１８】
空気枕の高さや弾力性を調整するには、まず図２の逆止弁付き空気取り入れ口（３）の  部分に図１２のポンプを使って空気を入れ、図１の真ん中の空気枕（１）には空気を多  めに入れ硬くする。また左右の２段枕の空気枕はやや少なめに空気を入れる方が使いや  すい。
【００１９】
図４のソバカス枕の袋にチャック（７）が付けてあり、自分の高さに合わせて、中のソ  バカス量を変更する。２段枕の上側のドーナツ型空気枕に頭を乗せた場合、下のソバカ  スに頭の重さがかかり、かかった方向に沈むので頭首のクセにあったように傾き、合わ  なくなれば揺さぶって安定した位置にする事が出来るため、２段枕の下段のソバカス枕  は出来るだけ低くする方が良い。
【００２０】
図８のように３つの枕を並べた上で表裏をひっくり返すことで、前記二つ目のタイプのソバカス枕が上段に位置し、その上に後頭部を乗せることで、通常の枕としても使用することができる。
【００２１】
図１０のように２つ目のタイプの２段枕は、横向きに寝るときに使い、涎などで汚れ易いため、枕カバーで覆う。枕カバーで覆うことにより、上下の枕が固定されて、２段枕が安定する。また、前記一つ目のタイプのドーナツ型空気枕は、汚れにくく水洗いが簡単にできるためカバーを取り付けない状態が、最終製品の図となる。
【産業上の利用可能性】
【００２２】
図１の３つのドーナツ型空気枕をチューブで連結し、左もしくは右方向から温かい空気  もしくは冷たい空気を流すことで、頭だけを温め、又は冷やすことが可能になる省エネ  型枕になる。
【符号の説明】
【００２３】
１  空気枕
２  固定具
３  逆止弁付き空気取り入れ口
４  ソバカス入り枕
５  ソバカス枕の横に固定具を付けるためのヒダ
６  ソバカス
７  チャック
８  枕カバー
９  空気の注入口
１０  ポンプ
１１  空気を入れる時に押さえる箇所
１２  逆止弁の付いた空気取り入れ口
１３  アゴを乗せる場所
【図１】
2015073819.tif 000003
【図２】
2015073819.tif 000004
【図３】
2015073819.tif 000005
【図４】
2015073819.tif 000006
【図５】
2015073819.tif 000007
【図６】
2015073819.tif 000008
【図７】
2015073819.tif 000009
【図８】
2015073819.tif 000010
【図９】
2015073819.tif 000011
【図１０】
2015073819.tif 000012
【図１１】
2015073819.tif 000013
【図１２】
2015073819.tif 000014
【図１３】
2015073819.tif 000015